(57)【特許請求の範囲】
【請求項１】
略矩形状に形成された筐体の前面側に突出する突出部が形成されたフロントパネルを有し、上記フロントパネルは、上側面部より上記突出部の先端にかけて内方に傾斜する第１の傾斜面と、下側面部より上記突出部の先端にかけて内方に傾斜する第２の傾斜面と、左右両側面部より上記突出部の先端にかけて内方に傾斜する第３及び第４の傾斜面が設けられた装置本体と、
上記装置本体の左右両側面に取り付けられるパネル部と、上記パネル部の一端部より屈折され上記第３又は第４の傾斜面と係合される折曲部とを有する一対のサイドパネルとを備え、
上記装置本体は、左右両側面部に上記サイドパネルと係合する係合部が形成され、
上記第３及び第４の傾斜面は、上記サイドパネルの折曲部が係止する係止部が形成され、
上記サイドパネルは、上記パネル部に上記装置本体の左右両側面部と弾性係合する係合部材が形成されるとともに、上記折曲部に上記第３又は第４の傾斜面に形成された係止部と係止する係止部材が形成され、
上記サイドパネルの折曲部は、上記フロントパネルの第３及び第４の傾斜面と略同一の略三角形状とされ、上記サイドパネルが上記装置本体に取り付けられることにより、上記第３及び第４の傾斜面と当接され、上記フロントパネルの突出部と略面一とされる
ことを特徴とする情報処理装置。
【請求項２】
上記サイドパネルは、上記パネル部の他端側に、上記装置本体の背面部に係合される係合部が形成されていることを特徴とする請求項１記載の情報処理装置。
【請求項３】
上記装置本体のフロントパネルは、上記筐体より着脱可能に形成されていることを特徴とする請求項１記載の情報処理装置。
【請求項４】
上記装置本体は、上記筐体の側面部に、装置本体内に配設されている各種電子部品等の調整用部材が配設されていることを特徴とする請求項１記載の情報処理装置。
【請求項５】
発熱を伴う電子部品と、当該電子部品に設けられ熱を除去するためのヒートシンクとをさらに備え、
上記フロントパネルの下側面部の基端部に、空気を供給するための吸気孔が設けられていることを特徴とする請求項１記載の情報処理装置。
【発明の詳細な説明】
【０００１】
【発明の属する技術分野】
本発明は、ＣＰＵ等の情報処理装置及びメモリを備えるとともに、ＭＤ（登録商標）、ＤＶＤ等の各種記録媒体の駆動ドライブを搭載した情報処理装置に関する。
【０００２】
【従来の技術】
従来より、パソコン等の情報処理装置に、ＭＤやＤＶＤ等のドライブを搭載し、各種記録媒体の記録、再生を行うことができる情報処理装置がある。このような情報処理装置は、ＣＰＵ、ＨＤＤ等のメモリ、各ドライブ装置等を搭載した装置本体を有し、この装置本体にキーボード等の情報入力装置や、ＬＣＤパネル等の情報表示装置、スピーカ等の音声出力装置が接続される。そして、この情報処理装置は、映像や音楽等のコンテンツが記録された記録媒体を再生し、また、音楽や映像等のコンテンツデータを記録媒体に記録させることができる。
【０００３】
この種の情報処理装置においては、装置本体は略矩形状の筐体として形成され、この筐体に、光磁気ディスクを記録媒体に用いるディスクカートリッジのディスクカートリッジドライブ装置や、ＩＣカードのドライブ装置、光ディスクのドライブ装置等が組み込まれるとともに、モニタやキーボード、スピーカ等の外部機器と接続されている。そして、装置本体は、他の外部機器とともにユーザの卓上等に載置されて用いられる。
【０００４】
【発明が解決しようとする課題】
ところで、このような情報処理装置は、卓上等に載置された際に、なるべく卓上の占有スペースを小さくするために、装置本体の小型化が図られることが望ましい。
【０００５】
また、装置本体が略矩形状の筐体により形成されているため、ユーザが装置本体近傍で作業を行う際に指先等の体の一部を装置本体のコーナ部にぶつけてしまう場合があった。
【０００６】
更に、装置本体の側面部には、サイドパネルがビス等により装着されているため、装置本体のメンテナンスを行う際においてサイドパネルの脱着が煩雑であった。
【０００７】
そこで、本発明は、装置本体を小型に見せるとともに、ユーザの保護を図ることができ、更にサイドパネルの着脱が容易な情報処理装置を提供することを目的とする。
【０００８】
【課題を解決するための手段】
上述した課題を解決するために、本発明に係る情報処理装置は、略矩形状に形成された筐体の前面側に突出する突出部が形成されたフロントパネルを有し、上記フロントパネルは、上側面部より上記突出部の先端にかけて内方に傾斜する第１の傾斜面と、下側面部より上記突出部の先端にかけて内方に傾斜する第２の傾斜面と、左右両側面部より上記突出部の先端にかけて内方に傾斜する第３及び第４の傾斜面が設けられた装置本体と、上記装置本体の左右両側面に取り付けられるパネル部と、上記パネル部の一端部より屈折され上記第３又は第４の傾斜面と係合される折曲部とを有する一対のサイドパネルとを備え、上記装置本体は、左右両側面部に上記サイドパネルと係合する係合部が形成され、上記第３及び第４の傾斜面は、上記サイドパネルの折曲部が係止する係止部が形成され、上記サイドパネルは、上記パネル部に上記装置本体の左右両側面部と弾性係合する係合部材が形成されるとともに、上記折曲部に上記第３又は第４の傾斜面に形成された係止部と係止する係止部材が形成され、上記サイドパネルの折曲部は、上記フロントパネルの第３及び第４の傾斜面と略同一の略三角形状とされ、上記サイドパネルが上記装置本体に取り付けられることにより、上記第３及び第４の傾斜面と当接され、上記フロントパネルの突出部と略面一とされることを特徴とするものである。
【０００９】
【発明の実施の形態】
本発明が適用された情報処理装置１は、図１に示すように、パーソナルコンピュータとほぼ同様な機能を有するものであって、装置本体２と、この装置本体２に接続されるＣＲＴ（Casord Ray Tube）、ＬＣＤ（Liquid Crystal Display）等のモニタ３と、装置本体２に接続されるスピーカ１０，１０と、装置本体２に対して操作信号を入力するキーボード、マウス、トラックボール、ジョイスティック等の入力装置４と、装置本体２を遠隔操作するための遠隔操作装置５とを備える。
【００１０】
装置本体２は、内部に、オペレーティングシステム、閲覧ソフトウェア、電子メールプログラム、通信プロトコル、各種アプリケーションプログラム、オーディオデータ、映画データ等が保存されるハードディスクドライブ６が設けられている。また、装置本体２には、装置本体２に対して着脱可能な外部記憶装置のドライブとして、光磁気ディスクを記録媒体に用いるディスクカートリッジ１１のディスクカートリッジドライブ２８と、半導体メモリを記録媒体に用いるＩＣカード１２のＩＣカードドライブ２９と、ＣＤ、ＤＶＤ等の光ディスク１３の光ディスクドライブ３０が設けられている。更に、この装置本体２は、電気通信回線１４を介してインターネット等のネットワーク１５に接続されているとともに、テレビジョン放送やラジオ放送を受信するための受信機が内蔵され、この受信機がアンテナ１６に接続されている。また、装置本体２の前面側の上面には、装置本体２の基本的操作を行うための複数の押し釦からなる操作部１７が設けられている。
【００１１】
このような装置本体２を備える情報処理装置１は、例えば、ディスクカートリッジ１１をディスクカートリッジドライブ２８に装着し、記録されたオーディオデータを読み出すことによって、又は、ＩＣカード１２をＩＣカードドライブ２９に装着し、記録されたオーディオデータ等のコンテンツデータを読み出すことによって、更には、コンパクトディスク等の光ディスク１３を光ディスクドライブ３０に装着し、記録されたオーディオデータ等のコンテンツデータを読み出すことによって、これら外部記憶装置から読み出したコンテンツデータをハードディスク６に保存することができる。また、ハードディスク６には、ＥＭＤ（Electronic Music Distribution）等音楽配信サービスを利用して電気通信回線１４を介してダウンロードしたオーディオデータ等のコンテンツデータを保存することができる。更に、ハードディスク６には、テレビジョン放送やラジオ放送の番組も保存することができる。そして、情報処理装置１は、ハードディスク６に保存された様々なコンテンツデータを、スピーカ１０，１０より聞くことができ、また、モニタ３で見ることができる。
【００１２】
また、この情報処理装置１では、ハードディスク６に保存された種々のコンテンツデータを外部記憶装置であるディスクカートリッジ１１、ＩＣカード１２、光ディスク１３に複写することができ、これによって、ユーザは、自らが所有する携帯型の再生装置を用いてコンテンツデータを再生することができる。
【００１３】
更に、情報処理装置１は、ハードディスク６に多くのコンテンツデータを保存することができることから、容易に所望のコンテンツデータを検索することができるようになっている。この情報処理装置１には、マイク１８が接続され、音声でコンテンツデータを検索することができるようにもなっている。
【００１４】
更に、この情報処理装置１は、電気通信回線１４を介してインターネット等のネットワーク１５に接続することによって、様々なウェブページを閲覧することができ、また、電子メールを送信し又は受信することができるようになっている。
【００１５】
以上のような情報処理装置１を構成する装置本体２は、図２に示すように、各種電子部品やドライブ装置等が配設されているシャーシ２０と、シャーシ２０を上側から覆うように配設されたシールドケース２１と、シールドケース２１上に配設され、操作部１７が形成されている操作盤２２と、シャーシ２０の前面側に配設され、シャーシ２０内に配設されているドライブ装置２８〜３０の挿入口２８ａ〜３０ａを外方に臨ませているフロントパネル２３と、シールドケース２１に取り付けられ、装置本体２の側壁を構成する一対の第１、第２のサイドパネル２４，２５とを有する。そして、装置本体２は、シャーシ２０内に各種電子部品が実装されている回路基板２７が配設されている。また、装置本体２は、装置本体２の一側面２ａ側に、光磁気ディスクを記録媒体に用いるディスクカートリッジ１１のディスクカートリッジドライブ２８と、半導体メモリを記録媒体に用いるＩＣカード１２が装着されるＩＣカードドライブ２９が配設されている。また、装置本体２は、装置本体２の他側面２ｂ側に、ＤＶＤ及びＣＤ等の光ディスク１３を駆動させる光ディスクドライブ３０と、装置本体２及び画像表示装置３等の周辺機器に駆動電源を供給する電源ユニット３１と、空気を取り込み、送風を行うことにより装置本体２内の熱を除去する冷却ファン３２が配設されている。
【００１６】
各ドライブ装置２８〜３０や各種電子部品が配設されるシャーシ２０は、板金を折り曲げ形成されている。シャーシ２０は、図２に示すように、略矩形状の載置部４０と、載置部４０の長手方向に沿って、前面壁４１及び背面壁４２が形成されている。
【００１７】
前面壁４１は、前面方向に張出し４３が形成されている。張出し４３は、前面部４３ａに、ディスクカートリッジドライブ２８、ＩＣカードドライブ２９、光ディスクドライブ３０にそれぞれ開口されている各記録媒体の挿入孔２８ａ〜３０ａを外方に臨ませる挿入開口部４４と、後述するフロントパネル２３の第１の吸気孔に対応して空気を装置本体２内に取り込み、冷却ファン３２に供給する第１の開口部４５が形成されている。また、張出し４３は、下端部４３ｂに、後述するフロントパネル２３の下端部に形成されている第２の吸気孔に対応して空気を装置本体２内に取り込む第２の開口部４６が形成されている。
【００１８】
また、背面壁４２は、載置部４０の長手方向に沿って、前面壁４１に対向する他側面側に形成されている。この背面壁４２は、冷却ファン３２の送風を装置本体２外へ排気する排気孔４７と、回路基板２７に実装されたコネクタ等の端子を外方に臨ませる端子孔４８とが形成されている。
【００１９】
シャーシ２０の載置部４０に配設される回路基板２７は、回路パターンが形成されるとともに、ＣＰＵや、ＣＰＵ等の電子部品が発生する熱を吸収し、装置本体２内の過熱を防止するヒートシンク３５等の電子部品が実装されている。
【００２０】
シャーシ２０内に配設される各ドライブ装置２８〜３０は、いずれも略矩形状に形成された筐体を有し、その一側面部より記録媒体が挿入される挿入口２８ａ〜３０ａが形成されている。そして、各ドライブ装置２８〜３０は、シャーシ２０内に配設されることにより、シャーシ２０の前面壁４１に形成されている挿入開口部４４より挿入口２８ａ〜３０ａを外方に臨ませられている。
【００２１】
装置本体２等に駆動電源を供給する電源ユニット３１は、略矩形状に形成された筐体５０を有し、筐体５０内には装置本体２内を熱を取り除く冷却ファン３２が配設されている。電源ユニット３１は、筐体５０の一側面部５０ａに開口部５２が形成され、装置本体２内に向かって冷却ファン３２の回転中心が臨まされている。また電源ユニット３１は、冷却ファン３２の回転中心と対向する筐体５０の他側面部５０ｂに、後述するサイドパネル２５の排出孔を介して冷却ファン３２の送風を装置本体２の外側に排出する第１の排出孔５３が形成されている。また、電源ユニット３１は、筐体５０の背面部５０ｃに、シャーシ２０の排気孔４７を介して冷却ファン３２の送風を装置本体２外へ排気する第２の排出孔５４が形成されている。そして、電源ユニット３１は、冷却ファン３２が駆動されることにより、開口部５２から装置本体２内の熱気を吸引し、第１及び第２の排出孔５３，５４より冷却ファン３２の送風を装置本体２外へ排気する。
【００２２】
この電源ユニット３１は、図３に示すように、回路基板２７上に実装されたＣＰＵ等の発熱を伴う電子部品の近傍に開口部５２が位置するようにシャーシ２０内に配設される。すなわち、回路基板２７は、ＣＰＵ等の発熱を伴い熱を除去する必要の高い電子部品上にヒートシンク３５を配設する。また、電源ユニット３１は、ヒートシンク３５の熱遮蔽板と平行な方向に冷却ファン３２を配設し、開口部５２よりヒートシンク３５側に臨ませている。
【００２３】
したがって、装置本体２は、冷却ファン３２によりＣＰＵ等による熱気を効率よく吸引し、電源ユニット３１の筐体５０の第１及び第２の排出孔５３，５４より排出することができ、装置本体２の過熱による動作不良を防止することができる。また、装置本体２は、電源ユニット３１の他側面部５０ｂ及び背面部５０ｃに排出孔５３，５４を設けることにより、冷却ファン３２による送風の排出量を増加させるとともに空気の吸引量を増加させることができため、わずかの駆動量で装置本体２の熱を除去することができ、冷却ファン３２の駆動音を抑えることができる。更に、装置本体２は、筐体５０の全体に冷却ファン３２の送風を流すことができ、電源ユニット３１の過熱を防止することができる。
【００２４】
この電子部品やドライブ装置等が配設されたシャーシ２０を上面側から覆うように配設されるシールドケース２１は、シャーシ２０の載置部４０と略同一の大きさに形成された天板６０と、天板６０の短手方向に沿って折り曲げ形成され、後述する一対の第１、第２のサイドパネル２４，２５が取り付けられる取付壁６１，６２とを有する。
【００２５】
天板６０は、略矩形状に形成され、前面部に長手方向に沿って、操作回路部６３が形成されている。操作回路部６３は、シールドケース２１上に配設される操作盤２２の操作に応じて装置本体２各部に操作信号を送信する。天板６０の短手方向に沿って形成された取付壁６１，６２は、第１、第２のサイドパネル２４，２５に突設された複数の係合突起が係合する係合孔６４が複数形成されている。また、装置本体２の他側面２ｂ側の取付壁６２には、装置本体２内に発生した冷却ファン３２の送風を排出する排出孔６５が形成されている。排出孔６５は、電源ユニット３１の第１の排出孔５３より排出された冷却ファン３２の送風をサイドパネル２５を介して装置本体２外へ排出する。
【００２６】
シールドケース２１の天板６０上に配設される操作盤２２は、情報処理装置１の操作を行う操作部１７と、ディスクカートリッジドライブ２８、ＩＣカードドライブ２９、光ディスクドライブ３０に開口されている各種記録媒体の挿入孔２８ａ〜３０ａを外方に臨ませる開口部６９とが形成されている。操作部１７は、情報処理装置１の操作メニューの切換えや各種記録媒体やＨＤＤに記録されているコンテンツデータの編集等を行う操作子が配設されている。この操作部１７は、シールドケース２１の天板６０に形成された操作回路部６３と接続され、操作子の操作に応じて装置本体２各部の操作を行う。また、開口部６９は、操作盤２２の前面側に折り曲げ形成され、操作盤２２がシールドケース２１上に取り付けられることにより、シャーシ２０の挿入開口部４４及び後述するフロントパネル２３の挿入孔７４を外方に臨ませている。
【００２７】
シャーシ２０の前面側に取り付けられるフロントパネル２３は、略矩形に形成された板状体からなり、長手方向に亘って前面側に張り出し形成された突出部７０を有する。このフロントパネル２３は、長手方向の長さをシャーシ２０の長手方向の長さと略同一に、短手方向の長さをシャーシ２０の高さ方向の長さと略同一に形成されている。
【００２８】
前面側に張り出し形成されている突出部７０は、先端にシャーシ２０の前面壁４１と略平行に形成されフロントパネル２３の長手方向に沿って形成されている先端部７０ａと、フロントパネル２３の上下側縁より先端部７０ａにかけて内方に傾斜する上下側斜面７０ｂ，７０ｃと、フロントパネル２３の左右両側縁より先端部７０ａにかけて内方に傾斜する傾斜面部８０，８１とを有する。
【００２９】
この突出部７０の先端部７０ａは、装置本体２内に空気を取り込む第１の吸気孔７２がフロントパネル２３の長手方向に亘って連続して形成されている。また、先端部７０ａは、一端側に装置本体２を遠隔操作する遠隔操作装置５からの信号を受信する受信部７３が形成されている。また、突出部７０の上側斜面７０ｂは、上述した各記録媒体のドライブ装置２８〜３０に形成された挿入孔２８ａ〜３０ａを外方に臨ませる挿入孔７４が形成されている。また、突出部７０の下側斜面７０ｃは、図４に示すように、基端部７６に、装置本体２内に空気を供給する第２の吸気孔７７が形成されている。下側斜面７０ｃの基端部７６はシャーシ２０の前面壁４１側に屈折されているため、第２の吸気孔７７は、下側斜面７０ｃの基端部７６に形成されることにより、フロントパネル２３の前面には現れず、装置本体２の外観を損ねることがない。
【００３０】
このような装置本体２は、上記第１、第２の吸気孔７２，７７より空気が装置本体２内に取り込まれ、後述する冷却ファン３２により多くの空気を供給することができ、送風量を増加することができる。これにより、装置本体２は、冷却ファン３２により装置本体２内の熱を効率よく除去することができ、冷却ファン３２の駆動量を少なくして駆動音による騒音を減らすことができる。また、装置本体２は、下側斜面７０ｃの基端部に第２の吸気孔７７が形成されているため、図５に示すように、冷却ファン３２により第２の吸気孔７７から装置本体２内に吸引された空気は低位置からヒートシンク３５の熱遮蔽板を上昇していく。したがって、装置本体２は、第１の吸気孔７２のみ設けた場合に比して、装置本体２の低位置に熱がこもることがなく効率よく熱を除去することができる。
【００３１】
フロントパネル２３の突出部７０の左右両端部に形成されている傾斜面部８０，８１は、突出部７０の先端部７０ａの両端部よりフロントパネル２３の短手側側縁部に亘って形成されている。この傾斜面部８０，８１は、後述するサイドパネル２４，２５と係止される係止孔８２，８３が形成されている。そして、傾斜面部８０，８１は、サイドパネル２４，２５に係止されることにより、傾斜面部８０，８１と略同一形状に形成されたサイドパネル２４，２５の折曲部と接続される。
【００３２】
フロントパネル２３及びシールドケース２１に係止されることにより装置本体２の側面部を構成するサイドパネル２４，２５は、長手方向の長さをシャーシ２０の短手方向の側面部と略同一に形成され、短手方向の長さをシャーシ２０の高さと略同一に形成された略矩形状の板状体からなる。このサイドパネル２４，２５は、シャーシ２０の側面に取り付けられ装置本体２の側面部を構成するパネル部９０，９１と、パネル部９０，９１の裏面側に突設され、シールドケース２１の取付壁６１，６２に係合される係合突部９２と、パネル部９０，９１の長手方向の一端側に、フロントパネル２３の傾斜面部８０，８１に対応した折曲部９３，９４とを有する。
【００３３】
装置本体２の他側面部２ｂを構成するパネル部９０，９１は、上下側縁部に長手方向に亘って、シールドケース２１の取付壁６１，６２との間に所定の空隙を形成する支持壁９０ａ，９１ａが形成されている。また、パネル部９０，９１は、長手方向他端側の側縁部に、シールドケース２１の取付壁６１，６２の背面側端部に係止される背面壁９０ｂ，９１ｂが形成されている。また、パネル部９１は、図６に示すように、下側縁側の支持壁９１ａに、装置本体２内に発生した冷却ファン３２の送風を排出する複数の排気孔９５が形成されている。この排気孔９５は、電源ユニット３１の筐体５０に形成されている第１の排出孔５３及びシールドケース２１の取付壁６２に形成された排出孔６５を介して排出された冷却ファン３２の送風を装置本体２外へ排出する。また、この排気孔９５は、パネル部９１の下側縁側に形成された支持壁９１ａに設けられているため、サイドパネル２５の前面には現れず、装置本体２の外観を損ねることはない。
【００３４】
パネル部９０，９１の裏面側に突設されている係合突部９２は、シールドケース２１に形成された係合孔６４に対応してパネル部９０，９１の裏面より立ち上がり形成され、弾性を有する弾性片９２ａと、弾性片９２ａの先端に略鉤状に形成され、シールドケース２１の係合孔６４に係止する係止部９２ｂとを有する。この係合突部９２は、弾性片９２ａが撓むことにより係止部９２ｂがシールドケース２１の係合孔６４と係止する。これにより、サイドパネル２４，２５は、シールドケース２１の取付壁６１，６２に取り付けられる
【００３５】
フロントパネル２３の傾斜面部８０，８１と対応して形成されている折曲部９３，９４は、傾斜面部８０，８１と略同一の略三角形状とされている。また、折曲部９３，９４は、フロントパネル２３の傾斜面部８０，８１がシールドケース２１の取付壁６１，６２に対して傾斜する角度と同一の傾斜角度で折り曲げ形成されている。したがって、折曲部９３，９４は、サイドパネル２４，２５がシールドケース２１に取り付けられることにより、フロントパネル２３の傾斜面部８０，８１と当接され、フロントパネル２３の突出部７０と略面一とされる。
【００３６】
この折曲部９３，９４は、裏面側に、傾斜面部８０，８１に形成されている係止孔８２，８３に係止する係止突部９６，９７が形成されている。係止突部９６，９７は、パネル部９０，９１と略垂直方向に突設されている基体部９６ａ，９７ａと、基体部先端より折曲部９３，９４の折り曲げ方向と略平行に折り曲げ形成された係止部９６ｂ，９７ｂとからなる。
【００３７】
以上のようなサイドパネル２４，２５は、図７に示すように、この折曲部９３，９４が、係止部９６ｂ，９７ｂをフロントパネル２３の傾斜面部８０，８１に形成されている係止孔８２，８３内に挿入することによりフロントパネル２３に係止される。次いで、サイドパネル２４，２５は、係合突部９２がシールドケース２１の係合孔６４に弾性係合されることによりシールドケース２１に取り付けられる。したがって、このサイドパネル２４，２５によれば、シールドケース２１及びフロントパネル２３にビス等を用いることなく取り付けることができ、装置本体２の側面にビス等の係合孔を設ける必要がないため、コネクタ端子口等の設計を行う自由度を増すことができるとともに、部品点数の削減を図ることができる。
【００３８】
なお、サイドパネル２４，２５は、背面壁９０ｂ，９１ｂに、シャーシ２０の背面部にねじ止めされるねじ孔９８を形成してもよい。シャーシ２０にねじ止めされることにより、サイドパネル２４，２５は、がたつきを防止することができる。
【００３９】
以上のような情報処理装置１の装置本体２は、以下のように組み立てられる。すなわち、図２に示すように、シャーシ２０は、回路パターンが形成されるとともにＨＤＤや各種コネクタ等の電子部品が実装された回路基板２７が配設される。次いで、シャーシ２０は、装置本体２の一側面２ａ側にディスクカートリッジドライブ２８及びＩＣカードドライブ２９を配設し、装置本体２の他側面２ｂ側に光ディスクドライブ３０及び冷却ファン３２が設けられた電源ユニット３１を配設する。これらドライブ装置２８〜３０は、シャーシ２０や回路基板２７上にビス止めされることにより、シャーシ２０内に固着される。次いで、ドライブ装置等が配設されたシャーシ２０を上面側から覆うようにシールドケース２１が配設され、ビス止めされる。次いで、フロントパネル２３がシャーシ２０の前面側にビス等により取り付けられる。このとき、ドライブ装置２８〜３０に形成された各記録媒体の挿入口２８ａ〜３０ａは、シャーシ２０の張出し４３に形成された挿入開口部４４及びフロントパネル２３に形成された突出部７０に形成されている挿入孔７４を介して外方に臨ませられる。
【００４０】
次いで、シールドケース２１の取付壁６１，６２にサイドパネル２４，２５が取り付けられる。このサイドパネル２４，２５は、フロントパネル２３の傾斜面部８０，８１に形成されている係止孔８２，８３に係止突部９６，９７を係止させた後、係合突部９２が弾性変位することによりシールドケース２１の取付壁６１，６２に形成されている係合孔６４に係合されてシールドケース２１に取り付けられる。なお、サイドパネル２４，２５は、シャーシ２０の背面部にビス止めすることにより、がたつきを防止するようにしてもよい。次いで、シールドケース２１の天板６０上に、ビス等により操作盤２２が取り付けられる。このとき、操作盤２２は、開口部６９よりドライブ装置２８〜３０に形成された各記録媒体の挿入口２８ａ〜３０ａを外方に臨ませている。
【００４１】
このような情報処理装置１によれば、フロントパネル２３に突出部７０を形成し、先端部７０ａに亘って上下側斜面７０ｂ，７０ｃを形成するとともに、フロントパネル２３の左右両側縁より先端部７０ａにかけて内方に傾斜する傾斜面部８０，８１とを形成している。また、情報処理装置１は、装置本体２の側壁を構成するサイドパネル２４，２５の一端部に傾斜面部８０，８１に係止される折曲部９３，９４を設け、フロントパネル２３に取り付けている。したがって、情報処理装置１は、装置本体２の前面を構成するフロントパネル２３は全面に亘って傾斜面が形成され、卓上等に載置されたときにも装置本体２の占有スペースを小さくすることができる。なお、情報処理装置１は、フロントパネル２３の全面を内方側に傾斜する傾斜面により構成することにより、ユーザに装置本体２の薄型化を印象づけることができる。
【００４２】
また、情報処理装置１によれば、フロントパネル２３の全面を内方に傾斜する傾斜面により構成することにより、ユーザが装置本体近傍で作業を行う際にも、指先等の体の一部を装置本体２にぶつける危険を防止することができる。
【００４３】
更に、装置本体２の側壁を構成するサイドパネル２４，２５は、弾性を有する係合突部９２のシールドケース２１の係合孔６４との係合を解除し、係止突部９６，９７の傾斜面部８０，８１の係止孔８２，８３との係止を解除することにより、装置本体２より取り外すことができる。したがって、情報処理装置１は、装置本体２の側面に装置内に配設された各種電子部品の調整部を配置することにより、サイドパネル２４，２５を取り外して容易に装置本体２のメンテナンスを行うことができる。
【００４４】
【発明の効果】
以上、詳細に説明したように、本発明が適用された情報処理装置によれば、フロントパネルに突出部を形成し、先端部に亘って上下側斜面を形成するとともに、フロントパネルの左右両側縁より先端部にかけて内方に傾斜する傾斜面部とが形成されている。また、情報処理装置は、装置本体の側壁を構成するサイドパネルの一端部に傾斜面部に係止される折曲部を設け、フロントパネルに取り付けている。この折曲部は、傾斜面部と略同一の三角形状とされるとともに、サイドパネルが装置本体に取り付けられることによりサイドパネルの突出部と略面一とされる。したがって、情報処理装置は、装置本体の前面を構成するフロントパネルは全面に亘って傾斜面が形成され、卓上等に載置されたときにも装置本体の占有スペースを小さくすることができる。
【００４５】
また、情報処理装置によれば、フロントパネルの全面を内方に傾斜する傾斜面により構成することにより、ユーザが装置本体近傍で作業を行う際にも、指先等体の一部を装置本体にぶつける危険を防止することができる。
【図面の簡単な説明】
【図１】情報処理装置を示す斜視図である。
【図２】装置本体の分解斜視図である。
【図３】装置本体内を一部破断して示す斜視図である。
【図４】フロントパネルを一部破断して示す斜視図である。
【図５】フロントパネルを示す断面図である。
【図６】サイドパネルを示す斜視図である。
【図７】サイドパネルを装置本体に取り付ける様子を示す図である。
【符号の説明】
１  情報処理装置、２  装置本体、２０  シャーシ、２１  シールドケース、２２  操作盤、２３  フロントパネル、２４，２５  サイドパネル、２７  回路基板、２８  ディスクカートリッジドライブ、２９  ＩＣカードドライブ、３０  光ディスクドライブ、３１  電源ユニット、３２  冷却ファン、４５，４６  開口部、４７  排気孔、５０  筐体、５２  開口部、５３，５４  排出孔、６４  係合孔、６５  排出孔、７０  突出部、７２，７７  吸気孔、８０，８１  傾斜面部、８２，８３  係止孔、９０，９１  パネル部、９２  係合突部、９３，９４  折曲部、９５  排気孔、９６，９７  係止突部、９８  ねじ孔
【図１】
0003780923.tif 000002
【図２】
0003780923.tif 000003
【図３】
0003780923.tif 000004
【図４】
0003780923.tif 000005
【図５】
0003780923.tif 000006
【図６】
0003780923.tif 000007
【図７】
0003780923.tif 000008